(57)【要約】      （修正有）【課題】便受部の大きさに応じて便受部を安定して取り付けることができるポータブルトイレを提供する。【解決手段】ポータブルトイレは、トイレ本体２０と、便受部と、トイレ本体２０に設けられ、開口部に対し便受部の少なくとも一部を上方から入れることが可能な受け部と、受け部とは別体に又は受け部の一部として設けられ、便受部の外周部が係合されることにより便受部を位置決め可能な係合部と、その係合される位置を、受け部とは別体に設けられる係合部の設置又は受け部の一部として設けられる係合部の移動により、開口部の拡縮方向へ調整する位置調整部と、を備え、位置調整部によって調整された位置において便受部の外周部を係合部に係合可能となる構成とした。【選択図】図１３
2019004934.tif 000002
【特許請求の範囲】
【請求項１】
トイレ本体と、
排泄物を受けることが可能な便受部と、
前記トイレ本体に設けられ、上方に開口する開口部を有するとともに、前記開口部に対し前記便受部の少なくとも一部を上方から入れることが可能な受け部と、
前記受け部とは別体に又は前記受け部に設けられ、前記便受部の外周部が係合されることにより前記便受部を位置決め可能な係合部と、
前記係合される位置を、前記受け部とは別体に設けられる前記係合部の設置又は前記受け部に設けられる前記係合部の移動により、前記開口部の拡縮方向へ調整する位置調整部と、
を備え、
前記位置調整部によって調整された位置において前記便受部の外周部を前記係合部に係合可能である、ポータブルトイレ。
【請求項２】
前記位置調整部は、前記開口部より開口面積が小さいスペーサ開口部を有する板状のスペーサであり、
前記スペーサの内周部に前記係合部が設けられており、
前記スペーサは、前記受け部に対して着脱可能である、請求項１に記載のポータブルトイレ。
【請求項３】
トイレ本体と、
排泄物を受けることが可能な便受部と、
前記トイレ本体に設けられ、上方に開口する開口部を有するとともに、前記開口部に対し前記便受部の少なくとも一部を上方から入れることが可能な受け部と、
前記開口部の上方に設置され、前記開口部より開口面積が小さいスペーサ開口部を有する板状のスペーサと、
を備え、
前記スペーサの内周部には、前記便受部の外周部が係合されることにより前記便受部を位置決め可能な係合部が設けられており、
前記スペーサ開口部に前記便受部を上方から入れることにより前記便受部の外周部を前記係合部に係合可能である、ポータブルトイレ。
【請求項４】
前記受け部及び前記スペーサには、前記スペーサを前記受け部に対して位置決めする位置決め部が設けられている、請求項２又は３に記載のポータブルトイレ。
【請求項５】
前記位置決め部は、前記スペーサの表と裏を逆に設置した場合に位置決めされず、前記スペーサの表と裏を正しく設置した場合に位置決めされる形状として設けられている、請求項４に記載のポータブルトイレ。
【請求項６】
前記係合部は、前記開口部の内縁部に沿いかつ上方へ立ち上がる周壁部を有する、請求項１〜５のいずれか一項に記載のポータブルトイレ。
【発明の詳細な説明】
【技術分野】
【０００１】
本発明は、ポータブルトイレに関する。
【背景技術】
【０００２】
一般にポータブルトイレは、便座と、便座の下方に配置され排泄物を受ける便受部としての汚物受けと、を備えている。汚物受けは、トイレ本体に対して着脱可能に取り付けられており、通常、トイレ使用後に汚物受けをトイレ本体から取り外して洗浄可能になっている（例えば、特許文献１参照）。特許文献１に記載のポータブルトイレは、トイレ本体の上部に、尿を受けることが可能な汚水受け部が取り付けられており、その汚水受け部に対して汚物受けが着脱可能に取り付けられている。これにより、汚物受けから漏れ出た尿や汚物受けに入らず外側に飛び散った尿を汚水受け部に溜めるようにしている。
【先行技術文献】
【特許文献】
【０００３】
【特許文献１】特許第４６０５９７９号公報
【発明の概要】
【発明が解決しようとする課題】
【０００４】
機能が異なる複数種類の汚物受けを使用者のニーズに合わせて適宜交換しながら使用したり、汚物受けが破損等により使用できなくなった際に新たに購入して使用したりする場合、汚物受けの大きさが合わず、汚物受けを位置決めできないことがある。この場合、排泄物を汚物受け（便受部）で十分に受けることができないおそれがある。
【０００５】
本発明は上記課題に鑑みなされたものであり、便受部の大きさに応じて便受部を安定して取り付けることができるポータブルトイレを提供することを一つの目的とする。
【課題を解決するための手段】
【０００６】
上記課題を解決すべく、第１の構成のポータブルトイレは、トイレ本体と、排泄物を受けることが可能な便受部と、前記トイレ本体に設けられ、上方に開口する開口部を有するとともに、前記開口部に対し前記便受部の少なくとも一部を上方から入れることが可能な受け部と、前記受け部とは別体に又は前記受け部に設けられ、前記便受部の外周部が係合されることにより前記便受部を位置決め可能な係合部と、前記係合される位置を、前記受け部とは別体に設けられる前記係合部の設置又は前記受け部に設けられる前記係合部の移動により、前記開口部の拡縮方向へ調整する位置調整部と、を備え、前記位置調整部によって調整された位置において前記便受部の外周部を前記係合部に係合可能であることを特徴とする。
【０００７】
上記構成においては、便受部の外周部を、受け部とは別体に設けられる係合部又は受け部に設けられる係合部に係合させることにより便受部を位置決めする。また、便受部の外周部が係合される位置は、位置調整部により、受け部の開口部の拡径方向又は縮径方向へ調整することができる。したがって、上記構成によれば、便受部の大きさに応じて便受部を安定して取り付けることができる。
【０００８】
第２の構成は、上記第１の構成において、前記位置調整部は、前記開口部より開口面積が小さいスペーサ開口部を有する板状のスペーサであり、前記スペーサの内周部に前記係合部が設けられており、前記スペーサは、前記受け部に対して着脱可能であることを特徴とする。
【０００９】
また、第３の構成のポータブルトイレは、トイレ本体と、排泄物を受けることが可能な便受部と、前記トイレ本体に設けられ、上方に開口する開口部を有するとともに、前記開口部に対し前記便受部の少なくとも一部を上方から入れることが可能な受け部と、前記開口部の上方に設置され、前記開口部より開口面積が小さいスペーサ開口部を有する板状のスペーサと、を備え、前記スペーサの内周部には、前記便受部の外周部が係合されることにより前記便受部を位置決め可能な係合部が設けられており、前記スペーサ開口部に前記便受部を上方から入れることにより前記便受部の外周部を前記係合部に係合可能であることを特徴とする。
【００１０】
上記第２及び第３の構成によれば、スペーサによって受け部の開口面積が小さくされることにより、受け部の開口面積よりも小さいサイズの便受部を取り付けることができる。また、位置調整部として、受け部とは別部材であるスペーサを設けることにより、受け部を複雑な構成にしたり、受け部の開口面積を便受部の大きさに合わせたりしなくて済む。
【００１１】
第４の構成は、上記第２又は第３の構成において、前記受け部及び前記スペーサには、前記スペーサを前記受け部に対して位置決めする位置決め部が設けられていることを特徴とする。こうした位置決め部を設けることにより、スペーサが受け部に対して所定位置に位置決めされ、便受部の位置を安定に保持することができる。
【００１２】
第５の構成は、上記第４の構成において、前記位置決め部は、前記スペーサの表と裏を逆に設置した場合に位置決めされず、前記スペーサの表と裏を正しく設置した場合に位置決めされる形状として設けられていることを特徴とする。スペーサは別部材であるため、ユーザが設置することが想定されているが、表裏逆に設置することを防止することにより、スペーサの機能を失わせないようにすることができる。
【００１３】
第６の構成は、上記第１〜第５の構成において、前記係合部は、前記開口部の内縁部に沿いかつ上方へ立ち上がる周壁部を有することを特徴とする。こうした構成によれば、周壁部を利用して便受部の外周部を係合することにより、便受部を位置決めできるとともに便受部の位置を安定して保持することができる。また、使用者が排泄した尿が飛散した場合にも、周壁部によって尿が開口部へ浸入することを抑制することができる。
【図面の簡単な説明】
【００１４】
【図１】自動ラップ仕様のポータブルトイレにおいて座部を上げた状態を示す斜視図。
【図２】自動ラップ仕様のポータブルトイレにおいて便座を上げた状態を示す斜視図。
【図３】自動ラップ仕様のポータブルトイレにおいて便座を上げ、インサイドカバーを取り外した状態を示す斜視図。
【図４】ポータブルトイレの左側面図。
【図５】自動ラップ仕様のポータブルトイレの展開斜視図。
【図６】インサイドカバーの平面図。
【図７】インサイドカバーのＡ−Ａ線断面図。
【図８】自動ラップ仕様のポータブルトイレを拡大した縦断面図。
【図９】自動ラップ仕様のポータブルトイレの前部を拡大した縦断面図。
【図１０】ポータブルトイレの前部を左斜め下方から見た斜視図。
【図１１】ポータブルトイレの前板部を拡大した縦断面図。
【図１２】バケツ仕様のポータブルトイレにおいて便座を上げた状態を示す斜視図。
【図１３】バケツ仕様のポータブルトイレにおいて便座を上げ、バケツを取り外した状態を示す斜視図。
【図１４】バケツ仕様のポータブルトイレの展開斜視図。
【図１５】スペーサの平面図。
【図１６】スペーサのＣ−Ｃ線断面図。
【図１７】スペーサの下面図。
【図１８】便座を上げた状態のバケツ仕様のポータブルトイレを拡大した縦断面図。
【図１９】バケツ仕様のポータブルトイレの前部を拡大した縦断面図。
【図２０】位置調整構造の変形例を示す図。
【図２１】位置調整構造の変形例を示す図。
【発明を実施するための形態】
【００１５】
以下、本実施形態のポータブルトイレについて図面を参照しつつ説明する。なお、以下の説明では便宜上、便座に腰掛けた使用者から見た方向を基準にして前後、左右及び上下を示している。図中に示すＦ，Ｂ，Ｒ，Ｌは、それぞれ、ポータブルトイレの前方、後方、右側、左側を表す。本実施形態のポータブルトイレは、例えば介護用であり、ベッド脇等の室内に置かれて用いられる。なお、このポータブルトイレは、介護用トイレや簡易トイレ等とも称される。
【００１６】
ポータブルトイレ１０は、上方に開口されたトイレ本体２０と、トイレ本体２０の開口部２１の上方に配置される便座３０と、便座３０の下方に配置され排泄物を受ける便受部と、を備える。ポータブルトイレ１０は、排泄物を密封する密封装置４０が便受部としてトイレ本体２０に設置され密封装置４０によって排泄物を受ける自動ラップ仕様と、便受部としてバケツ１１０がトイレ本体２０に設置されバケツ１１０によって排泄物を受けるバケツ仕様と、の間で変更可能になっている。これにより、ポータブルトイレ１０は、便受部を、機能が異なる複数種類の中から使用者のニーズに合わせて適宜交換して使用可能である。まずは、自動ラップ仕様のポータブルトイレ１０の構成について説明する。
【００１７】
≪自動ラップ仕様について≫
＜トイレ本体２０＞
トイレ本体２０は、本体フレーム２２を備えている。本体フレーム２２は木製の枠体であり、図１及び図５に示すように、前板部２４、後板部２５、左板部２６及び右板部２７を備える平面視四角形の木枠である。左板部２６及び右板部２７は、前後方向に延びる長尺板材からなり、互いの板面を向き合わせた状態で左右に離間して配置されている。前板部２４及び後板部２５は、左右方向に延びる長尺板材からなり、左板部２６及び右板部２７の前方位置又は後方位置において左板部２６と右板部２７との間に架け渡されている。前板部２４及び後板部２５は、互いの板面を向き合わせた状態で前後に離間して配置されている。前板部２４、後板部２５、左板部２６及び右板部２７は、隣接する端部同士が例えば接着等により連結されており、その上端部に、上下方向に貫通する開口部２１が形成されている。
【００１８】
トイレ本体２０には、前板部２４、後板部２５、左板部２６及び右板部２７によって囲まれた空間により、便受部（ここでは密封装置４０）を収容可能な収容部２３が形成されている（図５参照）。収容部２３に密封装置４０が配置された状態において、前板部２４は、密封装置４０を前方から隠すように密封装置４０の前方に配置され、左板部２６及び右板部２７は、密封装置４０を左右方向から隠すように密封装置４０の左右それぞれに配置されている。
【００１９】
（密封装置４０）
密封装置４０は、図３及び図５に示すように、便座３０の下方に設けられ開口部４１を通過した排泄物を下方へ導くガイド部４２と、ガイド部４２の外周部に設けられ筒状のフィルムＦを収容するフィルム収容部４３と、ガイド部４２の下方に設けられ排泄物を筒状のフィルムＦの内部に収容して密封する処理部４４と、を備えている。なお、図３には、密封装置４０にフィルムＦが装着されていない状態を示している。
【００２０】
ガイド部４２は円筒状であり、下方へ縮径された形状を有している。ガイド部４２の上端部には、その外周部から外側へ延びるフランジ部４７が設けられている。フランジ部４７は、ガイド部４２の外周全域から外側へ突出しており、環状に形成されている。フランジ部４７の外端部には、上方へ延びる折り返し部４７ａが形成されている。ガイド部４２の上端の内周部によって、ガイド部４２を上下方向に貫通する開口部４１が形成されている。開口部４１の開口面積は、便座３０の開口部３０ａの開口面積よりも大きくなっている。
【００２１】
フィルム収容部４３には、筒状のフィルムＦが例えば蛇腹状に折り畳まれて収容されている。フィルム収容部４３に収容されたフィルムＦは、筒状のまま引き出し可能になっている。フィルム収容部４３から引き出されたフィルムＦは、ガイド部４２の上端部（すなわちフランジ部４７）を上方から覆い、さらにガイド部４２の内周面を覆うようにして処理部４４に導かれている。
【００２２】
処理部４４は電動式であり、フィルムＦをフィルム収容部４３から引き出して下方に導く送出機構と、筒状のフィルムＦを幅方向に熱溶着する熱溶着機構と、筒状のフィルムＦを幅方向に切断する切断機構と、を有している。フィルムＦは、例えばポリエチレン等からなる樹脂フィルムである。筒状のフィルムＦに対して熱溶着機構によりフィルム幅方向をシールすることにより、筒状のフィルムＦにおいて底が形成される。このようにして底が形成された筒状のフィルムＦの内部に、ガイド部４２から処理部４４に導かれた排泄物が収容されると、送出機構によって筒状のフィルムＦを下方に送り出し、熱溶着機構によって筒状のフィルムＦを排泄物の上方で幅方向にシールする。これにより、フィルムＦの長手方向において、排泄物を挟んで異なる２箇所においてフィルムＦがシールされ、排泄物が筒状のフィルムＦの内部に密封される。上流側のシール部分のさらに上流において、切断機構により筒状のフィルムＦをフィルム幅方向にカットすることにより、筒状のフィルムＦの内部に排泄物が収容されて密封された密封体が形成される。密封体は、処理部４４の下部に設けられた排出部４８から排出され、床面に載置されたトレイ４９で受けられる。処理部４４はこれらの一連の処理を自動で行う。
【００２３】
密封装置４０の外周部には、ガイド部４２と処理部４４との接続部分の外周から外側に延びる外板部４５が設けられている。外板部４５は、板面が上下に向けられており、より具体的には板面が水平方向に延びている。外板部４５は、本体フレーム２２の内周面に対応する形状及び大きさを有し、平面視して矩形状（より具体的には四角形状）となっている。外板部４５の前側の左角部及び右角部には、ネジを上下方向に挿通可能な貫通穴４６が形成されている。
【００２４】
本体フレーム２２の内周部には、密封装置４０の外板部４５を載置可能な載置板２８が設けられている。載置板２８は、本体フレーム２２の内周部の前側及び後側にそれぞれ配置されている。載置板２８は、左右方向に延びる長尺板状であり、左板部２６と右板部２７との間に架け渡された状態で前後にそれぞれ配置されている。載置板２８の板面は上下に向けられており、その板面が水平方向に延びている。前後の載置板２８のうち後側の載置板２８ａの上面には、密封装置４０の後端部（すなわち、外板部４５の後端部）を係止可能な係止部２９が設けられている。係止部２９は、上方へ立ち上がる立ち板部２９ａと、立ち板部２９ａの上端部から前方に向けて水平に延びる水平板部２９ｂと、を有している（図８参照）。水平板部２９ｂは、その下側の板面を載置板２８ａに向けた状態で立ち板部２９ａによって支持されている。水平板部２９ｂの下側板面、載置板２８ａの上側板面、及び立ち板部２９ａの前面によって囲まれた空間に、密封装置４０の外板部４５の後端部を前方から差し込んで引っ掛けることにより、係止部２９によって密封装置４０の後端部が係止される。
【００２５】
前側の載置板６９（図８参照）には、左右両側の角部に、密封装置４０の貫通穴４６に対応する位置に貫通穴を有するネジ止め部（図示略）がそれぞれ設けられている。載置板６９の上面に対して、密封装置４０の外板部４５の前端部を載置するとともに、本体フレーム２２及び密封装置４０の互いの貫通穴を上下方向に重ねてネジ止めすることにより、本体フレーム２２に対して密封装置４０の前端部が固定される。前後の載置板２８は、互いの上側板面が同じ高さになるように配置されている。このため、密封装置４０の前端部が載置板６９に載置されるとともに密封装置４０の後端部が載置板２８ａに載置された状態では、本体フレーム２２によって密封装置４０が水平に支持される。
【００２６】
密封装置４０を本体フレーム２２に取り付ける際には、まず、密封装置４０を収容部２３に挿入して外板部４５の後端部を係止部２９に前方から差し込み、外板部４５の後端部を係止部２９に係止させる。その後、密封装置４０の貫通穴４６を本体フレーム２２側の貫通穴と上下方向に重ね合わせてネジ止めする。これにより、本体フレーム２２によって密封装置４０が支持されるとともに、本体フレーム２２に対する密封装置４０の位置が位置決めされる。このように、収容部２３の前方位置ではネジ止めにより密封装置４０を固定し、後方位置では係止部２９に密封装置４０を引っ掛けて固定することにより、ネジ止めのみによって固定する場合に比べて密封装置４０の位置決めがしやすく、本体フレーム２２に対して密封装置４０を装着しやすくなっている。
【００２７】
＜受け板３１＞
本体フレーム２２には、本体フレーム２２の内側で尿を受ける受け板３１が取り付けられている（図３参照）。受け板３１は樹脂製の板状部材であり、外形が平面視で略四角形状となっている。受け板３１は、本体フレーム２２の開口上部を覆うように本体フレーム２２の上方に配設されている。受け板３１は「トレイ」とも称される。
【００２８】
受け板３１は、板状かつ環状に形成されたベース部３２を備えている。ベース部３２には、その内周部から上方へ延びる内側壁３４が形成されている。内側壁３４は、ベース部３２の内周全域から上方へ突出しており、環状に形成されている。内側壁３４の下端には、受け板３１を厚み方向に貫通する開口部３３が形成されている。開口部３３の開口面積は、便座３０の開口部３０ａよりも大きくなっている。図３に示すように、本体フレーム２２に受け板３１が取り付けられた状態では、ガイド部４２の上端部は開口部３３の上方へ突出しており、フランジ部４７が内側壁３４の上方を覆っている。これにより、ガイド部４２に入らず外側に飛び散った尿やガイド部４２から漏れ出た尿は受け板３１の上面で受けられる。本体フレーム２２の上部に受け板３１が取り付けられた後、密封装置４０の少なくとも下部（処理部４４及びフィルム収容部４３）が、開口部３３を通じて本体フレーム２２の内部に入れられる。このため、開口部３３の開口面積は、密封装置４０の下部を開口部３３の上方から下方に配置可能なように広く確保されている。
【００２９】
ベース部３２には、内側壁３４の外側であって受け板３１の外縁部の内側に、周方向に連続して立ち上がる外側壁３５が形成されている。外側壁３５の内壁面は、平面視してベース部３２の外縁部に沿った略四角形状である。具体的には、図３に示すように、外側壁３５は、左壁面３５ａ、右壁面３５ｂ、前壁面３５ｃ及び後壁面３５ｄを有している。右壁面３５ｂと後壁面３５ｄとは鉛直面３５ｅを介して直線的に繋がっており、左壁面３５ａと後壁面３５ｄとは、外側に凸となる湾曲面３５ｆを介して円弧状に繋がっている。前壁面３５ｃは、前方へ凸となる緩やかな弧状であり、左右方向の中央から左右両側へ向かうにつれて後方に位置している。前壁面３５ｃの左右両端部は、前壁面３５ｃよりも湾曲された弧状部分で、左壁面３５ａ及び右壁面３５ｂの前端部に繋がっている。
【００３０】
ベース部３２の上面には、内側壁３４と外側壁３５とによって挟まれた空間に環状の溝部３６が形成されている。溝部３６は上方に開放されている。この溝部３６の内部に、受け板３１の上側に漏れ出た尿を受けて溜めることが可能になっている。外側壁３５の上面３５ｇには便座３０の下面３０ｂが載置される。
【００３１】
ベース部３２の左右両側の外縁部には段差３７が設けられている。段差３７は、外側壁３５の上面３５ｇから更に上方に立ち上がる縁壁３７ａと、縁壁３７ａの上端部から外側に向けて延びる横板３７ｂと、を有している。縁壁３７ａは、左板部２６及び右板部２７の内板面よりも内側に配置されており、左板部２６及び右板部２７の上面よりも上方まで立ち上がっている。横板３７ｂは、左板部２６及び右板部２７の上面を上方から覆っている。このため、使用者が排泄した際に飛散した尿が、左板部２６及び右板部２７に付着しにくくなっている。
【００３２】
ベース部３２の前部には、下方に垂れる垂下部３８が設けられている。この垂下部３８が前板部２４の上端部を上方から覆うように受け板３１が本体フレーム２２に配設される。本実施形態では、図４に示すように、側面視して、受け板３１の前面３１ａが前板部２４の前面２４ａよりも前方に位置している。これにより、受け板３１の前面を流下した尿が前板部２４の前面２４ａに付着するのを抑制している。受け板３１が着脱可能であるため、前板部２４と受け板３１との間の隙間に尿が入り込んだ場合には、受け板３１を取り外すことによって簡単に拭き掃除することができる。
【００３３】
受け板３１の下面には、底面から下方に向かって突出するピン（図示略）が複数箇所に設けられている。各ピンが、本体フレーム２２の上面に形成されたピン穴２２ａ（図５参照）に挿入されることにより、受け板３１が本体フレーム２２に対して着脱可能に組み付けられる。受け板３１の後部には、便座３０のヒンジを取り付ける基部３９が設けられている。
【００３４】
＜便座３０＞
便座３０は、その開口部３０ａが受け板３１の開口部３３と上下に重なるように受け板３１の上方に配置される。便座３０は、後方位置に設けられたヒンジを介して受け板３１に取り付けられている。これにより、便座３０は、図１に示すように、受け板３１の上面に横向きに配置された状態と、図２に示すように、受け板３１の上方に縦向きに配置された状態との間で回動可能になっている。便座３０が横向きの状態では、便座３０の開口部３０ａの下方に、密封装置４０に装着された筒状のフィルムＦの上方が開口された状態でフィルムＦが配置されている（図１参照）。なお、便座３０の形状は、図１に示すようなＯ字状に限らず、Ｕ字状であってもよい。また、便座３０は本体フレーム２２に取り付けられていてもよい。
【００３５】
＜座部５５＞
トイレ本体２０には、便座３０の上方に重ねられて便座３０を覆う座部５５が設けられている。座部５５は、便座３０の上方に重ねられた状態で上面５６が座面として使用される。座部５５は、本体フレーム２２の後方位置で上方へ回動可能に支持されている。これにより、座部５５は、上面５６が前後方向に延びている横向きの状態と、上面５６が上下方向に延びている縦向きの状態との間で変更可能になっている。座部５５が縦向きの状態では、座部５５は、前後方向の中間位置で、上面５６を前後に向けた状態で折り畳み可能になっている（図１、図４参照）。座部５５を上方へ回動すると便座３０が露出し、トイレとしての使用状態となる。
【００３６】
＜脚体部５７＞
トイレ本体２０には、トイレ本体２０を支持する脚体部５７が設けられている。脚体部５７は、左右一対の前脚５８と、左右一対の後脚５９と、を有している。前脚５８は上下方向に延びる長尺板材からなり、互いの板面を向き合わせた状態で本体フレーム２２の前方位置に左右に離間して配置されている。また、後脚５９は上下方向に延びる長尺板材からなり、互いの板面を向き合わせた状態で本体フレーム２２の後方位置に左右に離間して配置されている。前脚５８及び後脚５９は、本体フレーム２２のうち左板部２６及び右板部２７のそれぞれの外側板面に着脱可能に取り付けられている。前脚５８及び後脚５９は、本体フレーム２２に対する取付位置を調整可能である。前脚５８及び後脚５９の本体フレーム２２に対する取付位置を調整することにより、床面に対するトイレ本体２０の高さを調整可能である。
【００３７】
図４に示すように、脚体部５７には、床面に対してポータブルトイレ１０を移動させるためのキャスタ６１が設けられている。キャスタ６１は、各後脚５９の下部において前後方向の外側に設けられている。後脚５９には、後脚５９の下端よりも上方であってトイレ本体２０の下方に、左右の後脚５９を連結する連結板６２が配設されている（図５参照）。連結板６２は、板面を前後方向に向けた状態で左右の後脚５９の間に架け渡されており、上からの荷重に対する安定性が十分に確保されている。
【００３８】
トイレ本体２０の後方位置には、着座した使用者の背中が当接される背もたれ部６３が設けられている。本実施形態では、本体フレーム２２の後部に、左板部２６及び右板部２７のそれぞれの上部から上方に延びる左右一対の支柱６４が設けられている。この一対の支柱６４の間に背もたれ部６３が架け渡されている。
【００３９】
トイレ本体２０の左右両側には、使用者の手や腕が載置される肘掛け部６５が設けられている。肘掛け部６５は、前後方向に延びる肘掛け本体６６と、肘掛け本体６６を支持する支持部６７と、を有している。支持部６７は長尺板材であり、本体フレーム２２のうち左板部２６及び右板部２７の外側板面に取り付けられている。支持部６７の上面は、肘掛け本体６６の下面に連結されている。これにより、支持部６７が肘掛け本体６６を下方から支持している。支持部６７は、本体フレーム２２に対する取付位置を調整可能であり、その取付位置を調整することによって肘掛け本体６６の高さを調整可能である。
【００４０】
＜インサイドカバー７０＞
密封装置４０と便座３０との間にはインサイドカバー７０が設けられている。ポータブルトイレ１０にインサイドカバー７０が配設されることにより、使用者が排泄した尿が密封装置４０側へ浸入するのを抑制している。インサイドカバー７０は、ポータブルトイレ１０に取り付けられる樹脂製の板状部材であり、軟質樹脂やゴム等の弾性材料により形成されている。インサイドカバー７０は、受け板３１とは別部材となっており、受け板３１に対して着脱可能に取り付けられる。なお、インサイドカバー７０に関する以下の説明では、特に説明がない場合、「前後」、「左右」及び「上下」は、ポータブルトイレ１０に取り付けられた状態のインサイドカバー７０の構成をいうものとする。
【００４１】
図６及び図７に示すように、インサイドカバー７０は、平板かつ環状に形成されたベース部７１を備えている。ベース部７１は、その板面が上下に向けられており、水平方向に延びる水平面を有している。ベース部７１には、その内周部から下方へ延びる垂下部７３が形成されている。垂下部７３は、ベース部７１の内周全域から下方へ突出しており、環状に形成されている。垂下部７３の下端（自由端）には、インサイドカバー７０を厚み方向（上下方向）に貫通する開口部７２が形成されている。ベース部７１が、密封装置４０の上方を覆う「覆い部」に相当する。開口部７２の開口面積は、便座３０の開口部３０ａよりも大きくなっている。
【００４２】
垂下部７３は、ベース部７１と一体成形されており、上部に対して下部が内側に傾斜している。具体的には、垂下部７３は、前側部分７４と後側部分７５とを有し、これらが前後方向に連続した面で繋がっている。開口部７２の周方向全体のうち、開口部７２の中心点Ｏよりも前側に前側部分７４が設けられており、中心点Ｏよりも後側に後側部分７５が設けられている。前側部分７４は、その上部において、内側に傾斜した傾斜面７４ａを有し、下端部に、下方へ凸となるように内側に曲げられた湾曲面７４ｂを有している。なお、垂下部７３は、開口部７２の内縁から少し離れた位置に設けられていてもよい。
【００４３】
後側部分７５は、上側傾斜面７５ａと下側傾斜面７５ｂとを有し、これらが弧状に繋がっている。上側傾斜面７５ａ及び下側傾斜面７５ｂは内側に傾斜している。上側傾斜面７５ａの鉛直方向に対する傾斜は下側傾斜面７５ｂよりも大きく、緩やかな傾斜となっている。一方、下側傾斜面７５ｂの鉛直方向に対する傾斜は、前側部分７４の傾斜面７４ａよりも大きいか又は略同じとなっている。垂下部７３の前側部分７４及び後側部分７５を全体でみると、前側部分７４は、後側部分７５よりも鉛直方向に対する傾斜が小さく、急な傾斜となっている。後側部分７５の下部には、下方へ凸となるように内側に曲げられた湾曲面７５ｃが設けられている。
【００４４】
ベース部７１の外縁部には、上方へ立ち上がる立ち壁７６が設けられている。立ち壁７６は、ベース部７１の外縁部の全域に亘って、周方向に連続して設けられている。立ち壁７６は、上方に起立する起立板部７６ａと、起立板部７６ａの上部から外側に延びる水平板部７６ｂと、を有している。起立板部７６ａは内側に傾斜しており、ベース部７１の上面で尿を受けやすくなっている（図７参照）。起立板部７６ａの鉛直方向に対する傾斜は、前側部分７４の傾斜と略同じである。こうした立ち壁７６により、ベース部７１の上面に尿がこぼれた場合にも、その尿がインサイドカバー７０の外側へ漏れ出てしまうことが抑制される。
【００４５】
水平板部７６ｂ（すなわち、インサイドカバー７０の外縁部）のうち少なくとも後部は、外側壁３５に対応する形状及び大きさを有している（図６参照）。具体的には、水平板部７６ｂにおいて後側の右角部７７は、鉛直面３５ｅに対応する直線状であり、後側の左角部７８は、湾曲面３５ｆに対応する円弧状となっている。これにより、水平板部７６ｂの後部及び外側壁３５の後部は全体として、受け板３１に対してインサイドカバー７０を所定位置に配置する位置決め部として機能する。また、インサイドカバー７０は、平面視して左右非対称の形状となっている。このため、インサイドカバー７０を表と裏を逆に設置した場合には、インサイドカバー７０は受け板３１に対して位置決めされず、表と裏を正しく設置した場合にインサイドカバー７０が受け板３１に対して位置決めされる。
【００４６】
水平板部７６ｂの下面は、インサイドカバー７０が受け板３１に設置された状態において、外側壁３５の上面３５ｇに当接される当接面である。水平板部７６ｂの下面が外側壁３５の上面３５ｇに当接されることにより、受け板３１によってインサイドカバー７０が支持される（図８参照）。
【００４７】
外側壁３５には、その上面３５ｇに、内側の端部から外側に凹んだ凹み部３５ｉが設けられている（図３参照）。また、立ち壁７６には、凹み部３５ｉに対応する位置に、凹み部３５ｉの内部に嵌め合い可能に外側に凹んだ凹み部７６ｃが設けられている（図２及び図６参照）。凹み部３５ｉ，７６ｃは、それぞれ左右両側に設けられており、前後方向にみて同じ位置に配置されている。インサイドカバー７０を受け板３１に設置する際には、凹み部３５ｉ，７６ｃが互いに嵌まるように上面３５ｇにインサイドカバー７０を載置する。これにより、インサイドカバー７０を取り付ける前後左右の位置が正しく位置決めされ、尿の浸入防止機能を発揮するために適切な位置にインサイドカバー７０を設置することができる。また、インサイドカバー７０が受け板３１に設置された状態では、凹み部３５ｉ，７６ｃが嵌り合った状態が保たれることにより、インサイドカバー７０の位置ずれが抑制される。
【００４８】
インサイドカバー７０の外縁部には、内側に向けて凹んだ切欠き部７９が設けられている。切欠き部７９は矩形状であり、左右両側の前側角部に形成されている。なお、切欠き部７９の形状は矩形状に限らず、例えば円弧状であってもよい。平面視したとき、切欠き部７９の外側は、溝部３６の上方に配置されている（図２参照）。これにより、切欠き部７９の周囲を指で持ち上げてインサイドカバー７０を容易に取り外すことができる。また、切欠き部７９の上方から覗き見ることにより、溝部３６を視認することができる。このため、溝部３６に溜まった尿の様子（例えば色など）を、インサイドカバー７０を取り付けたまま確認することができる。
【００４９】
＜インサイドカバー７０の作用＞
次に、インサイドカバー７０の作用について図８を参照しながら説明する。なお、図８には、図３において便座３０が下げられた状態のポータブルトイレ１０の縦断面図を示している。また、図８には、密封装置４０に装着された筒状のフィルムＦを二点鎖線で示している。
【００５０】
上述したように、ポータブルトイレ１０には、密封装置４０と便座３０との間にインサイドカバー７０が設けられている。インサイドカバー７０の垂下部７３は、少なくとも下側部分が、密封装置４０の開口部４１の内部、すなわち筒状のフィルムＦの開口部Ｐに入り込んでいる。また、垂下部７３において、開口部Ｐに入り込んでいる部分は、その少なくとも一部の下面が、ガイド部４２の上部（より具体的には、フランジ部４７の上面）に、フィルムＦを介して当接している。これにより、垂下部７３の少なくとも一部は、密封装置４０に装着された筒状のフィルムＦの内周面に接触している。本実施形態では、垂下部７３の下端部の下面（すなわち、湾曲面７４ｂ、７５ｃの下面）が筒状のフィルムＦの内周面に面接触している。
【００５１】
ここで、使用者から排泄される尿Ｗが前方に向かって飛散することがある。こうした尿Ｗは、密封装置４０の上端部よりも下方において垂下部７３とフィルムＦの内周面とが接触していることにより、その接触部分で、尿Ｗがそれ以上前方へ浸入することが抑制される。このようにして、上記の止水構造では、前方に飛散した尿Ｗを、筒状のフィルムＦの上部から外側に漏れ出ないようにすることができる。
【００５２】
また、インサイドカバー７０は弾性部材により形成されており、垂下部７３は弾性変形可能である。このため、垂下部７３の弾性力よって、密封装置４０に装着された筒状のフィルムＦの内周面に垂下部７３を密着させることができる。また、垂下部７３が弾性変形可能であるため、筒状のフィルムＦをガイド部４２の外側から内側へ向かってフィルム長手方向に送出させる際に、フィルムＦの動きを妨げにくい。図８中の矢印Ｄは、フィルムＦの送出方向を表す。これにより、フィルムＦの送り出しを妨げないようにしつつ、密封装置４０への尿の浸入を十分に抑制することができる。なお、垂下部７３が「入り込み部」に相当し、湾曲面７４ｂ、７５ｃが「面接触部」に相当する。
【００５３】
＜前板部２４の構成＞
次に、前板部２４の構成について詳しく説明する。前板部２４は、上下に配置された上側板部８１及び下側板部８２を有する。上側板部８１及び下側板部８２は、別部材により構成されている。
【００５４】
上側板部８１は、左右方向に延びる長尺状の壁板６８を有している。壁板６８は、板面が前後に向けられており、板面が鉛直方向に延びるようにして配置されている。上側板部８１の左右両端は、左板部２６及び右板部２７に対して連結板（図示略）を介してそれぞれ連結されている。具体的には、連結板は、上下方向に延びる長尺状であり、板面が左右方向に向けられている。連結板が有する一対の板面のうち外側の板面は、左板部２６及び右板部２７の内側板面に対して接着等されており、前端面は上側板部８１の裏面に対して接着等されている。これにより、左板部２６及び右板部２７によって上側板部８１が支持されている。
【００５５】
壁板６８の下端部には載置板６９が連結されている。本実施形態では、壁板６８と載置板６９とによって上側板部８１が形成されているとともに、載置板６９によって上側板部８１の下部が構成されている。載置板６９は、板面が上下に向けられて水平方向に延び、その前端面が壁板６８の前面と面一となるように位置決めされている。載置板６９の後部は、壁板６８の背面（つまり後面）よりも後方へ突出しており、その突出した部分の上面に密封装置４０の外板部４５の前側部分が載置されている。これにより、トイレ本体２０の内部において密封装置４０を支持しつつ、トイレ本体内部の前側に無駄なスペースが形成されるのを極力抑制して、ポータブルトイレ１０のコンパクト化を図っている。
【００５６】
壁板６８の下面及び載置板６９の上面には、互いに対向する位置に、左右方向に延びる凹溝９７、９８が形成されている。壁板６８の下面に形成された凹溝９７は下方に開放され、載置板６９の上面に形成された凹溝９８は上方に開放されている。凹溝９７、９８には、左右方向に延びる連結板８３の上端部及び下端部がそれぞれ嵌め込まれている。壁板６８及び載置板６９は、凹溝９７、９８に連結板８３がそれぞれ嵌め込まれた状態で接着等によって固定されている。また、連結板８３の上下寸法は、凹溝９７、９８の溝の深さの合計よりも短くなっており、凹溝９７の上面と連結板８３の上面との間に隙間９９が形成されている。これにより、製造誤差があっても壁板６８と載置板６９との間に隙間が生じないようにされている。また、壁板６８及び載置板６９は互いに接着されたり、壁板６８及び載置板６９の表面が例えばポリウレタン等によりコーティングされたりする等により、壁板６８と載置板６９との間に水分が入り込むことがないように施されている。
【００５７】
下側板部８２は、左右方向に延びる長尺状の壁板８２ａを有し、板面を前後方向に向けて配置されている。下側板部８２の左右両端は、左板部２６及び右板部２７に対して連結板９０（図１０参照）を介してそれぞれ連結されている。具体的には、連結板は、上下方向に延びる長尺状であり、板面が左右方向に向けられている。連結板が有する一対の板面のうち外側の板面は、左板部２６及び右板部２７の内側板面に対して接着等されており、前端面は下側板部８２の裏面に対して接着等されている。これにより、左板部２６及び右板部２７によって下側板部８２が支持されている。
【００５８】
上側板部８１及び下側板部８２は、上側板部８１よりも下側板部８２の方が、前後方向において奥まった位置に配置されており、上側板部８１の前面８６が下側板部８２の前面８７よりも前方に位置している。図９に示すように、下側板部８２の前面８７のうち少なくとも上端は、上側板部８１の後面８９よりも前方に位置するように上側板部８１及び下側板部８２が配置されている。
【００５９】
上側板部８１と下側板部８２とは前面の傾斜角度が異なっている。詳細には、上側板部８１は、壁板６８の板面が鉛直方向に延び、これに伴い前面８６が鉛直方向になっているのに対し、下側板部８２は、壁板８２ａの板面（つまり前面８７）が鉛直方向に対して後方に傾斜している。これにより、トイレ本体２０の内部のうち上側板部８１の後方には、受け板３１や密封装置４０を受けるために必要な十分なスペースが確保されている。一方、下側板部８２は、トイレ本体２０の内部との関係では密封装置４０等の前方を隠すことができればよく、下側板部８２の配置に自由度がある。このため、下側板部８２の板面を斜め後方に傾斜させることによって、下側板部８２の前方に広いスペースを確保している。
【００６０】
また、上側板部８１の前面８６及び下側板部８２の前面８７は、前方へ凸となる湾曲面となっており、左右方向の中央から左右両側へ向かうにつれて後方に位置している。このように、前板部２４においては、下側板部８２が後方に傾斜して下端部が奥まった位置にあるとともに、上側板部８１及び下側板部８２が前面に湾曲面を有することで、使用者が立ち上がる際に足を後方に接地させるためのスペースが左右両側に広く確保されている。また、複数の板材（上側板部８１及び下側板部８２）を上下に配置することによって前板部２４を形成することにより、上側板部８１及び下側板部８２をいずれも湾曲させ、かつ下側板部８２を後方に傾斜させる、といった複雑な構成を実現している。図１０に示すように、上側板部８１の下面８４及び下側板部８２の上面８５は、上側板部８１及び下側板部８２が略同じ曲率で前方へ凸となるように曲げられている。これにより、上側板部８１及び下側板部８２が一体的に見えて美観上好ましい。
【００６１】
上側板部８１の下面８４と下側板部８２の上面８５との間には、上側板部８１及び下側板部８２が上下で重なる重なり部分が形成されている。また、その重なり部分には隙間８８が形成されている。隙間８８は、人間の指が入らない程度に狭い隙間であり、例えば上下方向の幅が５ｍｍ以下である。この隙間８８は、前方からでも少し斜め方向から見れば隙間８８がないようにみえる程度に狭くなっている。このため、トイレ本体２０の内部が見えにくく、また上側板部８１と下側板部８２とが一体的に見える。本実施形態では、下側板部８２の後面９１の上端部は、載置板６９の後面９２よりも前方に位置しており、下側板部８２の上面８５の全体が上側板部８１の下面８４（つまり、載置板６９の下面）と上下で重なっている。
【００６２】
図９に示すように、上側板部８１の下面８４には、下方に開放された溝部９３が設けられている。溝部９３は、左右方向に延びており、下面８４の左右方向の全域に亘って、前面８６の湾曲形状に沿って設けられている（図１０参照）。溝部９３は、上底９４と、上底９４の前端から下方へ延びる前壁９５と、上底９４の後端から下方へ延びる後壁９６と、を有している。前壁９５及び後壁９６は、下面８４から鉛直方向に立ち上がっており、下面８４に対して直交している。
【００６３】
前壁９５及び後壁９６はいずれも、下側板部８２の前面８７よりも前方に位置している。これにより、溝部９３は、上側板部８１の下面８４のうち下側板部８２の前面８７よりも前方位置に形成されている。本実施形態では、上側板部８１及び下側板部８２において、上側板部８１の下面８４と下側板部８２の上面８５とが上下に重なっていない非重なり部分が形成されており、その非重なり部分に溝部９３が配設されている。溝部９３は、上側板部８１の前面８６と下側板部８２の前面８７との中間位置（例えば、前後方向の中央）に形成されている。そのため、ポータブルトイレ１０の外部から溝部９３が目立ちにくくなっている。
【００６４】
＜前板部２４の作用＞
次に、前板部２４で生じる尿の流れについて図１１を参照しながら説明する。トイレ使用中に飛び散った尿や、使用者が立ち上がる際に滴下された尿が上側板部８１の前面８６に沿って流下することがある。ここで、前板部２４のうち上側板部８１よりも下側板部８２が奥まった位置にあると（図９参照）、前面８６を伝って流下した尿が上側板部８１の下面８４の奥側に入り込みやすくなる。特に、上側板部８１の下面８４と下側板部８２の上面８５とが上下で重なっていると、下面８４と上面８５との間の隙間８８に尿が入り込み、上面８５にも尿が付着してしまう。また、その隙間８８が狭いと（例えば５ｍｍ以下の狭い隙間であると）、本体フレーム２２の内部が見えにくくなる反面、毛細管現象により隙間８８に尿が入り込みやすい。こうした狭い隙間８８には人間の指も入らず、また掃除道具を差し込むことも困難である。そのため、下面８４の奥側に入り込んだ尿や、下側板部８２の上面８５に付着した尿は拭き掃除によっては除去しにくい。一方、本体フレーム２２に尿を付着させたままにすると、尿の臭いによって快適性が損なわれ、清潔感にも欠けてしまう。また、本体フレーム２２が木製である場合には、本体フレーム２２が腐食するおそれもある。
【００６５】
本実施形態のポータブルトイレ１０においては、上側板部８１の前面８６に付着した尿Ｗは、図１１に示すように、前面８６を伝って流れ落ちて前面８６の下端から下面８４に回り込んだ後、溝部９３の前壁９５の位置で滴下される。すなわち、前面８６を伝って流下する尿Ｗは、溝部９３によって、下側板部８２の前面８７よりも前方で滴下される。このようにして、上記の前面構造では、上側板部８１の前面８６を伝って流下した尿Ｗを、上側板部８１と下側板部８２との間に入り込ませることなく床面に滴下させることができる。これにより、上側板部８１の下面８４の奥側に尿Ｗが入り込んだり、下側板部８２の上面８５に尿Ｗが付着したりすることを抑制することができる。なお、前板部２４が「遮蔽板部」に相当し、溝部９３が「水切り部」に相当する。
【００６６】
なお、上側板部８１と下側板部８２との間に、目視可能な隙間８８がなくてもよい。この場合でも、ミクロ的には上側板部８１と下側板部８２との間には極めて狭い隙間が存在するため、毛細管現象により上側板部８１と下側板部８２との間に水分が入り込む現象が生じ得る。上側板部８１と下側板部８２との間に目視可能な隙間８８がない場合には特に、上側板部８１及び下側板部８２を分解等しない限り、上側板部８１と下側板部８２との間に入り込んだ尿を除去することができない。この点、上側板部８１の下面８４に水切り部を設けることにより、尿の臭いによって快適性が損なわれたり清潔感に欠けたりすることを抑制することができる。
【００６７】
≪バケツ仕様について≫
次に、バケツ仕様のポータブルトイレ１０について、自動ラップ仕様との相違点を中心に説明する。バケツ仕様のポータブルトイレ１０は、図１２〜図１４に示すように、バケツ１１０及びスペーサ１２０を備え、密封装置４０及びインサイドカバー７０を備えていない点で自動ラップ仕様と相違する。一方、バケツ仕様において、トイレ本体２０、受け板３１及び便座３０は、自動ラップ仕様と共通の部材である。これら共通の部材については説明を省略する。
【００６８】
＜バケツ１１０＞
バケツ１１０は、使用者の排泄物を受ける容器であり、上部が開口した樹脂製の有底の容器である。バケツ１１０は「汚物受け」や「便受け」とも称される。バケツ１１０は、排泄物を収容するバケツ本体１１２を備えている。バケツ本体１１２は、上方が開放された略円筒状であり、上部に対して下部が縮径された形状を有している。バケツ本体１１２の内周面の上端により開口部１１１が形成されており、開口部１１１からバケツ本体１１２の内部に排泄物が入れられる。バケツ本体１１２の上端部には、外縁全域から外側に突出するフランジ部１１３が形成されている。フランジ部１１３は、バケツ本体１１２の上端部から外側へ向かって延びる水平板部１１３ａと、水平板部１１３ａの外周部から下方へ延びる折り返し部１１３ｂと、を有している（図１８参照）。折り返し部１１３ｂには、傾倒可能な取っ手１１４が取り付けられている。取っ手１１４は、トイレ使用時には後方に倒され、バケツ１１０の後方へ配置される。バケツ１１０の上端部には、開口部１１１を覆う蓋１１５が上方から装着される（図１４参照）。
【００６９】
＜スペーサ１２０＞
スペーサ１２０は、樹脂製の板状部材である。スペーサ１２０は、ポータブルトイレ１０をバケツ仕様とする場合に、受け板３１に取り付けられて使用される。受け板３１にスペーサ１２０が設置された状態では、スペーサ１２０がバケツ１１０を支持して、便座３０に対するバケツ１１０の位置を位置決めする。スペーサ１２０は、受け板３１に対して着脱可能に設けられている。なお、スペーサ１２０に関する以下の説明では、インサイドカバー７０と同様、特に説明がない場合、「前後」、「左右」及び「上下」は、ポータブルトイレ１０に設置された状態のスペーサ１２０の構成をいうものとする。
【００７０】
図１５に示すように、スペーサ１２０は、板状かつ環状に形成されたベース部１２１を備えている。ベース部１２１は、その板面が上下に向けられており、水平方向に延びる水平面を有している。ベース部１２１には、受け板３１の開口部３３の内縁部に沿うようにして、ベース部１２１の内周部から上方へ延びる立ち壁１２３が形成されている。立ち壁１２３は、ベース部１２１の内周全域から上方へ突出しており、環状に形成されている。立ち壁１２３の下端（固定端）には、スペーサ１２０を厚み方向（上下方向）に貫通する開口部１２２が形成されている。開口部１２２は、バケツ１１０の外周に対応する略円形状を有し、その開口面積は、受け板３１の開口部３３の開口面積よりも小さく、バケツ１１０の開口部１１１の開口面積よりも大きくなっている。また、開口部１２２の内径は、バケツ１１０の開口部１１１の内径よりも大きく、フランジ部１１３の外径よりも小さくなっている。
【００７１】
ベース部１２１の上面１２１ａには、上面１２１ａから上方へ突出する上側突部１２４が設けられている。上側突部１２４は左右両側に設けられており、スペーサ１２０の中心部よりも後方位置に配設されている。上側突部１２４は前後方向に延びており、その上面に、前部に対して後部が上方に傾斜する傾斜面１２４ａを有している（図１６参照）。
【００７２】
ベース部１２１には、その外周部から下方へ延びる折り返し部１２５が形成されている。折り返し部１２５は、ベース部１２１の外周全域から下方へ突出しており、環状に形成されている。ベース部１２１の下面１２１ｂには、下面１２１ｂから下方へ突出する下側突部１２６が設けられている（図１７参照）。下側突部１２６は突起であり、ベース部１２１において開口部１２２の近傍に複数設けられている。本実施形態では、下面１２１ｂの前後及び左右にそれぞれ１個ずつ、合計４個設けられている。
【００７３】
図１８に示すように、スペーサ１２０は、折り返し部１２５が受け板３１の内側壁３４に引っ掛けられることにより受け板３１に支持されている。スペーサ１２０が受け板３１に支持されている状態では、下側突部１２６が受け板３１の開口部３３よりも内側に配置される。これにより、スペーサ１２０の受け板３１に対する位置が位置決めされるとともに、スペーサ１２０が設置された状態においてスペーサ１２０の位置ずれが抑制される。
【００７４】
スペーサ１２０は、少なくとも後部が、外側壁３５に沿った形状及び大きさを有している。具体的には、スペーサ１２０において後側の右角部１２７は、鉛直面３５ｅに対応する直線状であり、後側の左角部１２８は、湾曲面３５ｆに対応する円弧状となっている。これにより、スペーサ１２０の後部及び外側壁３５の後部は全体として、受け板３１に対してスペーサ１２０を所定位置に配置する位置決め部として機能する。スペーサ１２０は、平面視して左右非対称の形状となっている。このため、スペーサ１２０を表と裏を逆に設置した場合には、スペーサ１２０は受け板３１に対して位置決めされず、表と裏を正しく設置した場合にスペーサ１２０が受け板３１に対して位置決めされる。
【００７５】
＜スペーサ１２０の作用＞
次に、スペーサ１２０の作用について図１８及び図１９を参照しながら説明する。フィルムＦが無くなった場合や停電時などに、ポータブルトイレ１０の便受部として密封装置４０に代えてバケツ１１０を用いることにより、トイレとしての使用が可能になる。ところが、バケツ１１０の外径が受け板３１の開口部３３に対して小さすぎると、受け板３１の内周部にバケツ１１０の外周部を引っ掛けることができない。すなわち、バケツ上端の折り返し部１１３ｂが、受け板３１の内側壁３４に引っ掛かけ可能な位置Ｘ１（すなわち、溝部３６の上方）に位置せず、それよりも内側の位置Ｘ２に位置している。この場合、排泄物を受けることが可能な位置にバケツ１１０を配置できない。
【００７６】
上述したように、バケツ仕様のポータブルトイレ１０においては、受け板３１にスペーサ１２０が取り付けられている。こうしたスペーサ１２０により、内側壁３４よりも内側に立ち壁１２３が新たに設けられ、フランジ部１１３の引っ掛け位置が、受け板３１の開口部３３の縮径方向（図１９中の矢印Ｖの方向）へ調整されている。これにより、受け板３１によってスペーサ１２０が支持されるとともに、スペーサ１２０によってバケツ１１０を支持することができる。よって、便座３０の下方にバケツ１１０が安定して設置され、排泄物をバケツ１１０で受けることが可能である。また、受け板３１の内側壁３４に対しスペーサ１２０の折り返し部１２５を係合させるため、スペーサ１２０の位置ずれを抑制でき、受け板３１によってバケツ１１０を支持している状態が保持される。なお、スペーサ１２０が「位置調整部」に相当し、立ち壁１２３が「係合部」に相当する。
【００７７】
また、トイレ使用時には、バケツ１１０の取っ手１１４が後方に倒される。その際、後方に傾倒させた取っ手１１４は、取っ手１１４の後面が上側突部１２４の傾斜面１２４ａに当接される。これにより、取っ手１１４が溝部３６に入り込まないようにすることができ、取っ手１１４に尿が付着することを抑制することができる。
【００７８】
以上詳述した本実施形態によれば、次の優れた効果が得られる。
【００７９】
受け板３１の開口部３３の上方に、開口部３３よりも開口面積が小さい開口部１２２を有する板状のスペーサ１２０を配置し、開口部１２２の上方からバケツ１１０を入れることにより、バケツ１１０の外周部とスペーサ１２０とを係合させる構成とした。この構成によれば、開口部３３へのスペーサ１２０の取付けによって、バケツ１１０の外周部が係合される位置を、受け板３１の開口部３３の縮径方向へ調整することができる。これにより、バケツ１１０の大きさが受け板３１の開口部３３に対して小さくても、バケツ１１０をトイレ本体２０に安定して取り付けることができる。また、受け板３１に対して着脱可能なスペーサ１２０により位置調整することにより、受け板３１を複雑な構造にしたり受け板３１の開口面積をバケツ１１０の大きさに合わせたりしなくて済む。したがって、開口部３３よりも小さいサイズのバケツ１１０を開口部３３に取り付けてバケツ１１０を位置決め可能にするにあたって、これを安価に実現することができる。
【００８０】
スペーサ１２０の外縁部につき、後側の右角部１２７を、鉛直面３５ｅに対応する直線状とし、後側の左角部１２８を、湾曲面３５ｆに対応する円弧状とすることにより、左右の形状が非対称となるようにした。スペーサ１２０は受け板３１とは別部材であるため、ユーザが設置することが想定されている。この点、上記構成とすることにより、スペーサ１２０を取り付ける際に、表と裏とを間違えないようにすることができる。また、受け板３１の後部とスペーサ１２０の後部との形状を合わせてスペーサ１２０を設置すればよいため、スペーサ１２０の表と裏を使用者が容易に識別することができる。
【００８１】
スペーサ１２０の外縁部に、下方へ延びる垂下部として折り返し部１２５を設け、折り返し部１２５と受け板３１の内側壁３４とを係合させることによりスペーサ１２０を受け板３１に支持させる構成とした。このため、スペーサ１２０の位置ずれを抑制でき、バケツ１１０を安定に位置決めすることができる。
【００８２】
スペーサ１２０のベース部１２１の内周部には、内周部から上方へ立ち上がる立ち壁１２３が形成されているため、立ち壁１２３を利用してバケツ１１０の外周部を係合させることにより、バケツ１１０を安定した状態で位置決めすることができる。また、使用者が排泄した尿が飛散した場合にも、立ち壁１２３によって尿が開口部１２２へ浸入することを抑制することができる。これにより、密封装置４０を収容する部分への尿の浸入を抑制することができ、ひいては、密封装置４０への尿の浸入を抑制することができる。
【００８３】
（他の実施形態）
本発明は上記内容に限定されず、例えば以下のように実施されてもよい。
【００８４】
・上記実施形態では、受け板３１とは別体に、位置調整部としてのスペーサ１２０を開口部３３の上方に設置することにより、バケツ１１０の外周部が係合部に係合される位置を調整する構成としたが、位置調整部の構成はこれに限定されない。図２０及び図２１に位置調整部の変形例を示す。この変形例では、係合部及び位置調整部を受け板３１に設け、位置調整部によって係合部を移動させることにより、バケツ１１０の外周部が係合される位置を調整する。
【００８５】
図２０及び図２１に示す変形例は、内側壁３４の少なくとも一部が内側にスライド可能であることにより、係合部を開口部３３の拡縮方向へ調整可能となっている。図２０には、スライド機構１３０が設けられた受け板３１を平面視したときの部分拡大図を示している。スライド機構１３０は、図２０に示すように、受け板３１の内周部において左右両側に設けられている。なお、スライド機構１３０を設ける位置は左右両側に限定されず、例えば前後又は前後左右に設けてもよい。図２０には、スライド機構１３０により左右の内側壁３４ａの位置を内側にスライドさせた状態を示している。図２１には、受け板３１の右側部分の縦端面図を示している。図２１中、（ａ）は、スライド前の内側壁３４ａの位置を示し、（ｂ）は、スライド後の内側壁３４ａの位置を示している。
【００８６】
この変形例では、左右の内側壁３４ａの下端部は、左右方向にスライド可能なスライド板１３６の内側端部に連結されている。スライド板１３６の前後方向の両側縁には嵌合溝１３９が設けられており、スライド板１３６の両端部が嵌合溝１３９に嵌め合わされることによってスライド板１３６が支持されている。スライド板１３６において内側壁３４ａとは反対側の端部には、上方に立ち上がる起立部１３８が設けられている。起立部１３８の上端部は、溝部３６の裏面に当接されている。受け板３１の溝部３６の裏面には、左右方向の異なる位置に２つの突起１３７ａ、１３７ｂが設けられている。
【００８７】
スライド板１３６が引き出される前は、起立部１３８の上端部が外側の突起１３７ａよりも外側において溝部３６の裏面に当接しており、内側壁３４は基準位置に位置している。この状態では、バケツ１１０の外周部（図２０中の二点鎖線）が内側壁３４に引っ掛からず、バケツ１１０を位置決めできない。スライド板１３６が内側へ引き出されると、スライド板１３６とともに左右の内側壁３４ａが内側へ移動する。その際、起立部１３８が２つの突起１３７ａ、１３７ｂの間に位置するまでスライド板１３６をスライドさせる。この状態では、スライド板１３６がその位置で固定されるとともに、バケツ１１０の外周部を内側壁３４ａに引っ掛けることが可能になる。これにより、バケツ１１０を安定して取り付けることができる。
【００８８】
・図２０及び図２１に示す変形例では、受け板３１にスライド機構１３０を設けることによって、バケツ１１０の外周部が係合される位置を調整する構成としたが、位置調整部によって係合部を移動させる場合の構成はスライド機構１３０に限定されない。例えば、ヒンジ機構により内側壁３４が内側へ傾倒可能なように構成し、内側壁３４を傾倒させることによって、係合部を開口部３３の拡縮方向へ調整可能としてもよい。
【００８９】
・上記実施形態では、スペーサ１２０の内周部に立ち壁１２３を設け、立ち壁１２３とバケツ１１０の外周部とを係合させる構成としたが、スペーサ１２０が立ち壁１２３を有していなくてもよい。例えば、スペーサ１２０の内周部の上面を水平面とし、その水平面に、バケツ１１０の外周部を当接させることにより、バケツ１１０の外周部とスペーサ１２０の内周部とを係合させてもよい。
【００９０】
・上記実施形態では、スペーサ１２０の外縁部に折り返し部１２５を設け、折り返し部１２５と受け板３１の内側壁３４とを係合させる構成としたが、折り返し部１２５を設けなくてもよい。具体的には、スペーサ１２０の外縁部の下面を水平面とするとともに、その水平面を内側壁３４の上端部に当接させることによりスペーサ１２０の外周部と受け板３１の内周部とを係合させてもよい。
【００９１】
・スペーサ１２０の外形は上記実施形態のものに限定されない。スペーサ１２０が左右非対称である場合、その外形としては、例えば、後側の右角部１２７を円弧状とし、後側の左角部１２８を直線状としてもよい。また、後側の左右両側の角部を、互いに曲率が異なる円弧状としてもよい。また、スペーサ１２０を左右非対称とする構成に代えて、左右対称としてもよい。例えば、図１５に示すスペーサ１２０において、後部の右角部１２７及び左角部１２８の形状を共に円弧状としたり、あるいは、右角部１２７及び左角部１２８の形状を共に直線状としたりしてもよい。スペーサ１２０の形状を左右対称とする場合、スペーサ１２０の表と裏の向きを示す表示部を設けることにより、使用者が表と裏を間違えないようにすることができる。
【００９２】
・インサイドカバー７０の構成は上記実施形態のものに限定されない。例えば、インサイドカバー７０は、垂下部７３、切欠き部７９及び立ち壁７６の少なくともいずれかを備えていなくてもよい。また、インサイドカバー７０の外形を左右対称としてもよい。また、ポータブルトイレ１０がインサイドカバー７０を備えていなくてもよい。
【００９３】
・上記実施形態では、トイレ本体２０や脚体部５７を木製としたが、これらを樹脂製とし、ポータブルトイレが全体として樹脂製として構成されていてもよい。
【００９４】
・トイレ本体２０に設置される受け部として、板状部材である受け板３１に代えて、便受部を収容可能な大きさを有する例えば箱型の容器を用いてもよい。
【００９５】
・受け部に直接的又は間接的に支持される便受部はバケツ１１０に限定されない。例えば、底部に流出口を設けた漏斗状の受け部材としてもよい。
【００９６】
・上記実施形態では、自動ラップ仕様とバケツ仕様とを適宜変更して使用可能なポータブルトイレ１０に適用する場合について説明したが、自動ラップ仕様としてのみ使用可能なポータブルトイレに適用してもよいし、自動ラップ仕様として使用不可能なポータブルトイレ（例えば、バケツ仕様専用のポータブルトイレ等）に適用してもよい。
【符号の説明】
【００９７】
１０…ポータブルトイレ、２０…トイレ本体、２４…前板部、２４ａ…前面、３０…便座、３０ａ…開口部、３１…受け板、３３…開口部、４０…密封装置（便受部）、４１…開口部、４２…ガイド部、５５…座部、５７…脚体部、６３…背もたれ部、６５…肘掛け部、７０…インサイドカバー、７２…開口部、７３…垂下部（入り込み部）、７６…立ち壁、７９…切欠き部、８１…上側板部、８２…下側板部、９３…溝部（水切り部）、１１０…バケツ（便受部）、１１５…蓋、１２０…スペーサ、１３０…スライド機構、Ｆ…フィルム、Ｗ…尿。
【図１】
2019004934.tif 000003
【図２】
2019004934.tif 000004
【図３】
2019004934.tif 000005
【図４】
2019004934.tif 000006
【図５】
2019004934.tif 000007
【図６】
2019004934.tif 000008
【図７】
2019004934.tif 000009
【図８】
2019004934.tif 000010
【図９】
2019004934.tif 000011
【図１０】
2019004934.tif 000012
【図１１】
2019004934.tif 000013
【図１２】
2019004934.tif 000014
【図１３】
2019004934.tif 000015
【図１４】
2019004934.tif 000016
【図１５】
2019004934.tif 000017
【図１６】
2019004934.tif 000018
【図１７】
2019004934.tif 000019
【図１８】
2019004934.tif 000020
【図１９】
2019004934.tif 000021
【図２０】
2019004934.tif 000022
【図２１】
2019004934.tif 000023